【手続補正書】
【提出日】平成18年5月31日(2006.5.31)
【手続補正１】
【補正対象書類名】特許請求の範囲
【補正対象項目名】全文
【補正方法】変更
【補正の内容】
【特許請求の範囲】
【請求項１】
ＳＥＭ互換性サンプル容器であって、
サンプルエンクロージャであって、電子ビーム透過性で流体不透過性の膜と、該膜に密封されて該膜と共に前記サンプルエンクロージャを形成する、周囲エンクロージャと、を有する、前記サンプルエンクロージャと、
前記サンプルエンクロージャを密封するためのサンプルエンクロージャ閉鎖部と、
を備える、ＳＥＭ互換性サンプル容器。
【請求項２】
前記サンプルエンクロージャ閉鎖部は、前記サンプルエンクロージャとの密封係合のため迅速接続式アタッチメント機能を備える、請求項１に記載のＳＥＭ互換性サンプル容器。
【請求項３】
前記迅速接続式アタッチメント機能は、ねじ込み式の接続を含む、請求項２に記載のＳＥＭ互換性サンプル容器。
【請求項４】
前記周囲エンクロージャは、少なくとも部分的に導電性である、請求項１乃至３のいずれか１項に記載のＳＥＭ互換性サンプル容器。
【請求項５】
前記サンプルエンクロージャと連係する圧力リリーフダイヤフラムを更に備える、請求項１乃至４のいずれか１項に記載のＳＥＭ互換性サンプル容器。
【請求項６】
前記膜を支持する少なくとも１つの膜支持格子を更に備える、請求項１乃至５のいずれか１項に記載のＳＥＭ互換性サンプル容器。
【請求項７】
前記膜は、ポリイミド、ポリアミド、ポリアミド−イミド、ポリエチレン、ポリピロール、「パーロディオン」、「コロディオン」、「カプトン」、「フォームバー」、「ビニレック」、「バットバー」、「ピオロフォルム」、「パリレーネ」、二酸化シリコン、一酸化シリコン、及び、カーボンからなるグループから選択された材料から形成されている、請求項１乃至６のいずれか１項に記載のＳＥＭ互換性サンプル容器。
【請求項８】
前記サンプルエンクロージャは、サンプルを内部で受け取るように予め組み立てられて準備され、該準備に続いて、前記サンプルエンクロージャ閉鎖部を、前記迅速接続式アタッチメント機能を用いて前記サンプルエンクロージャに容易に密封連結することができる、請求項２乃至７のいずれか１項に記載のＳＥＭ互換性サンプル容器。
【請求項９】
前記サンプルエンクロージャは、５０ＫｅＶより小さいエネルギーレベルを有する電子によっては透過可能ではない深さで液体を含むように構成される、請求項１乃至８のいずれか１項に記載のＳＥＭ互換性サンプル容器。
【請求項１０】
前記サンプルエンクロージャは、前記周囲エンクロージャの周りに配置され、且つ、前記サンプルエンクロージャの内部と共に前記膜を電子が通過するためのアパーチャを形成する、外側エンクロージャを備える、請求項１乃至９のいずれか１項に記載のＳＥＭ互換性サンプル容器。
【請求項１１】
前記膜に隣接してサンプルを配置するように構成されたサンプルポジショナーを更に備える、請求項１乃至１０のいずれか１項に記載のＳＥＭ互換性サンプル容器。
【請求項１２】
前記サンプルポジショナーは、スプリングを備える、請求項１１に記載のＳＥＭ互換性サンプル容器。
【請求項１３】
光案内部の一部分を更に備える、請求項１乃至１２のいずれか１項に記載のＳＥＭ互換性サンプル容器。
【請求項１４】
前記光案内部は、ＳＥＭ検査の間、前記サンプルエンクロージャ内のサンプルから光を受け取るように配置され、前記光案内部は、前記サンプルからの光を収集するように前記サンプルエンクロージャに対して配置されている、請求項１３に記載のＳＥＭ互換性サンプル容器。
【請求項１５】
走査型電子顕微鏡を作動させるための方法であって、
サンプルエンクロージャ内にサンプルを配置する工程であって、該サンプルエンクロージャは、電子ビーム透過性で流体不透過性の膜と、該膜に密封されて該膜と共に前記サンプルエンクロージャを形成する周囲エンクロージャと、前記サンプルエンクロージャとの密封係合のため迅速接続式アタッチメント機能を備えるサンプルエンクロージャ閉鎖部と、を備える、前記工程と、
前記サンプルエンクロージャをサンプルエンクロージャ閉鎖部で密封する工程と、
前記サンプルエンクロージャを電子ビーム内に配置する工程と、
前記電子ビームと前記サンプルとの相互作用の結果を分析する工程と、
を備える、方法。
【請求項１６】
前記密封工程の前に前記サンプルエンクロージャから液体を除去する工程を更に備える、請求項１５に記載の方法。
【請求項１７】
前記密封工程の前に前記サンプルエンクロージャに液体を追加する工程を更に備える、請求項１５又は１６に記載の方法。
【請求項１８】
前記サンプルエンクロージャ内で前記サンプルを培養する工程を更に備える、請求項１５乃至１７のいずれか１項に記載の方法。
【請求項１９】
前記膜に隣接して前記サンプルを位置決めするように構成されたサンプルポジショナーを配置する工程を更に備える、請求項１５乃至１８のいずれか１項に記載の方法。
【請求項２０】
前記電子ビームと前記サンプルとの相互作用の結果を分析する前記工程は、Ｘ線の検出、紫外線から赤外線までの範囲にある光の検出、後方散乱された電子の検出、及び、２次電子の検出の少なくとも１つによって実行される、請求項１５乃至１９のいずれか１項に記載の方法。
【請求項２１】
前記電子ビームと前記サンプルとの相互作用の結果を分析する前記工程は、前記サンプルの少なくとも一部分の画像を表示する工程を備える、請求項１５乃至２０のいずれか１項に記載の方法。
【請求項２２】
前記サンプルは、生物学的サンプルである、請求項１５乃至２１のいずれか１項に記載の方法。
【手続補正２】
【補正対象書類名】明細書
【補正対象項目名】００６０
【補正方法】変更
【補正の内容】
【００６０】
本出願に係る発明は、非真空で湿った環境におけるサンプルの電子顕微鏡による検査のための方法に関する。より詳しくは、本出願に係る発明は、重要な詳細構造を破壊して観察されるべきサンプルに擬似物を導入するおそれのある水置換及び臨界点乾燥を始めとする脱水処置を施す必要無しに、走査型電子顕微鏡でサンプルを視覚化するための方法に関する。本発明の方法を用いない場合、電子顕微鏡で試験されるべきサンプルは、真空又は真空に近い状態でしか移動することができない電子ビームによる妨げられないアクセスを可能にするため、真空又は真空に近い状態で保持されなければならない。
【手続補正３】
【補正対象書類名】明細書
【補正対象項目名】００６１
【補正方法】変更
【補正の内容】
【００６１】
本発明の方法は、走査されるべきサンプルがその中に配置されるところの、後述される新規なＳＥＭサンプル容器を有利に用いている。サンプルの水和及び大気圧状態は、ＳＥＭステージに配置し、ＳＥＭ走査チャンバーを真空引きした後でさえも、維持される。
【手続補正４】
【補正対象書類名】明細書
【補正対象項目名】０３０３
【補正方法】変更
【補正の内容】
【０３０３】
図８６Ｂは、頂部スラブ３０６６を始めとして、組織サンプルの厚さＸ１を提供する、複数のスラブ３０５０を示している。切り取り器具３０６０は、組織サンプル３０６４を２つの部分、即ち、頂部３０６８及び底部３０６９へと切り取り、生じた底部３０６９は、厚さＸ１を有する。
【手続補正５】
【補正対象書類名】明細書
【補正対象項目名】０４１６
【補正方法】変更
【補正の内容】
【０４１６】
ここで、本発明の好ましい実施例に従って、好ましくは、図４１Ａ乃至図５０の説明に従って、サンプル容器内への処理無しに挿入され、湿った状態で画像形成された、ハツカネズミ心臓の断片の、３つの異なる倍率におけるＳＥＭ顕微鏡写真図である、図９６Ａ、図９６Ｂ及び図９６Ｃを参照する。なお、細胞３２７０の全体的な構成は、図９６Ａ乃至図９６Ｂでより低い倍率で示され、細胞内部詳細構造（細胞核３２７２と、明るい細胞部分３２７４、おそらくはミトコンドリア）は、図９６Ｃでより高い倍率で示されている。例えば、図９６Ａ乃至図９６Ｃに示された膜支持格子は、本発明の方法により提供された、サンプル中の自然な材料分布から画像形成コントラストを発生する能力を再び実証しているが、より重要なことは、外科手術中に採取された生体検査組織又はサンプル等である組織を取得した後、非常に短い時間（５〜１０分）以内でその画像を発生する能力である。
【手続補正６】
【補正対象書類名】明細書
【補正対象項目名】０４４０
【補正方法】変更
【補正の内容】
【０４４０】
【図１】図１Ａ及び図１Ｂは、本発明の好ましい実施例に従って構成され、作動する、分解されたＳＥＭ互換性サンプル容器の、各々反対側に向いた簡略的な分解図である。
【図２】図２Ａ及び図２Ｂは、図１Ａ及び図１Ｂの容器のサブアッセンブリの、各々反対側に向いた簡略的な部分図の部分断面図である。
【図３】図３Ａ及び図３Ｂは、図１Ａ乃至図２ＢのＳＥＭ互換性サンプル容器を部分的に組み立てた状態で示した、各々反対側に向いた簡略的な分解図である。
【図４】図４Ａ及び図４Ｂは、図１Ａ乃至図３ＢのＳＥＭ互換性サンプル容器を完全に組み立てた状態で示した、各々反対側に向いた簡略図である。
【図５】図５Ａ及び図５Ｂは、図３Ａ及び図３Ｂで、各々、ラインＶＡ−ＶＡ及びラインＶＢ−ＶＢに沿って取られた、各々反対側に向いた簡略的な部分図の部分断面図である。
【図６】図６Ａ、６Ｂ及び６Ｃは、図１Ａ乃至図５ＢのＳＥＭ互換性サンプル容器の作動態様を作動の３段階で各々示した３つの断面図である。
【図７】図７Ａ、７Ｂ、７Ｃ、７Ｄ及び７Ｅは、図１Ａ乃至図６ＣのＳＥＭ互換性サンプル容器を使用した、細胞成長、液体除去、液体追加、密封及びＳＥＭへの挿入の各状態の簡略断面図である。
【図８】図８Ａ、８Ｂ及び８Ｃは、図１Ａ乃至図６ＣのＳＥＭ互換性サンプル容器を使用した、サンプルを含む液体、密封及びＳＥＭへの挿入の各状態の簡略断面図である。
【図９】図９は、図１Ａ乃至図６ＣのＳＥＭ互換性サンプル容器を使用した、サンプルのＳＥＭ検査の簡略図及び断面図である。
【図１０】図１０は、図９の状況においてサンプルのＳＥＭ検査状態を拡大した簡略図である。
【図１１】図１１Ａ及び図１１Ｂは、本発明の別の好ましい実施例に従って構成され、作動する、分解されたＳＥＭ互換性サンプル容器の、各々反対側に向いた簡略的な分解図である。
【図１２】図１２Ａ及び図１２Ｂは、図１１Ａ及び図１１Ｂの容器のサブアッセンブリの、各々反対側に向いた簡略的な部分図の部分断面図である。
【図１３】図１３Ａ及び図１３Ｂは、図１１Ａ乃至図１２ＢのＳＥＭ互換性サンプル容器を部分的に組み立てた状態で示した、各々反対側に向いた簡略的な分解図である。
【図１４】図１４Ａ及び図１４Ｂは、図１１Ａ乃至図１３ＢのＳＥＭ互換性サンプル容器を完全に組み立てた状態で示した、各々反対側に向いた簡略図である。
【図１５】図１５Ａ及び図１５Ｂは、図１３Ａ及び図１３Ｂで、各々、ラインＸＶＡ−ＸＶＡ及びラインＸＶＢ−ＸＶＢに沿って取られた、各々反対側に向いた簡略的な部分図の部分断面図である。
【図１６】図１６Ａ、１６Ｂ及び１６Ｃは、図１１Ａ乃至図１５ＢのＳＥＭ互換性サンプル容器の作動態様を作動の３段階で各々示した３つの断面図である。
【図１７】図１７Ａ、１７Ｂ、１７Ｃ、１７Ｄ及び１７Ｅは、図１１Ａ乃至図１６ＣのＳＥＭ互換性サンプル容器を使用した、細胞成長、液体除去、液体追加、密封及びＳＥＭへの挿入の各状態の簡略断面図である。
【図１８】図１８Ａ、１８Ｂ及び１８Ｃは、図１１Ａ乃至図１６ＣのＳＥＭ互換性サンプル容器を使用した、サンプルを含む液体、密封及びＳＥＭへの挿入の各状態の簡略断面図である。
【図１９】図１９は、図１１Ａ乃至図１６ＣのＳＥＭ互換性サンプル容器を使用した、サンプルのＳＥＭ検査の簡略図及び断面図である。
【図２０】図２０は、図１９の状況においてサンプルのＳＥＭ検査状態を拡大した簡略図である。
【図２１】図２１Ａ及び図２１Ｂは、図１Ａ乃至図２０に示された型式のＳＥＭ互換性サンプル容器で使用する顕微鏡検査前の多重サンプルホルダーの簡略的な分解図である。
【図２２】図２２Ａ及び図２２Ｂは、顕微鏡検査前の多重サンプルホルダーを、覆われていない状態、及び、覆われて組み立てられた状態で各々示した、簡略図である。
【図２３】図２３Ａ、２３Ｂ及び２３Ｃは、吸引装置及びピペットを伴った、図２１Ａ乃至図２２Ｂの顕微鏡検査前の多重サンプルホルダーの簡略図である。
【図２４Ａ】図２４Ａは、図１Ａ乃至図１０で示された型式のＳＥＭ互換性サンプル皿部で使用する、顕微鏡検査用多重サンプルホルダーの簡略図である。
【図２４Ｂ】図２４Ｂは、図１Ａ乃至図１０で示された型式のＳＥＭ互換性サンプル皿部で使用する、顕微鏡検査用多重サンプルホルダーの簡略図である。
【図２４Ｃ】図２４Ｃは、図１Ａ乃至図１０で示された型式のＳＥＭ互換性サンプル皿部で使用する、顕微鏡検査用多重サンプルホルダーの簡略図である。
【図２５Ａ】図２５Ａは、図１１Ａ乃至図２０で示された型式のＳＥＭ互換性サンプル皿部で使用する、顕微鏡検査用多重サンプルホルダーの簡略図である。
【図２５Ｂ】図２５Ｂは、図１１Ａ乃至図２０で示された型式のＳＥＭ互換性サンプル皿部で使用する、顕微鏡検査用多重サンプルホルダーの簡略図である。
【図２５Ｃ】図２５Ｃは、図１１Ａ乃至図２０で示された型式のＳＥＭ互換性サンプル皿部で使用する、顕微鏡検査用多重サンプルホルダーの簡略図である。
【図２６】図２６Ａ及び図２６Ｂは、本発明の好ましい実施例に係る、複数のＳＥＭ互換性サンプル容器を形成する顕微鏡検査用多重サンプルホルダーの簡略図である。
【図２７】図２７Ａ及び図２７Ｂは、本発明の好ましい実施例に係る、複数のＳＥＭ互換性サンプル容器を形成する顕微鏡検査用多重サンプルホルダーの簡略図である。
【図２８】図２８は、本発明の好ましい実施例に従って構成され、作動するＳＥＭベースのサンプル検査システムの簡略図である。
【図２９】図２９は、本発明の別の好ましい実施例に従って構成され、作動するＳＥＭベースのサンプル検査システムの簡略図である。
【図３０】図３０は、本発明の更に別の好ましい実施例に従って構成され、作動するＳＥＭベースのサンプル検査システムの簡略図である。
【図３１】図３１Ａ及び図３１Ｂは、本発明の別の好ましい実施例に従って構成され、作動する、分解されたＳＥＭ互換性サンプル容器の、各々反対側に向いた簡略的な分解図である。
【図３２】図３２Ａ及び図３２Ｂは、図３１Ａ及び図３１Ｂの容器のサブアッセンブリの、各々反対側に向いた簡略的な部分図の部分断面図である。
【図３３】図３３Ａ及び図３３Ｂは、図３１Ａ乃至図３２ＢのＳＥＭ互換性サンプル容器を部分的に組み立てた状態で示した、各々反対側に向いた簡略的な分解図である。
【図３４】図３４Ａ及び図３４Ｂは、図３１Ａ乃至図３３ＢのＳＥＭ互換性サンプル容器を完全に組み立てた状態で示した、各々反対側に向いた簡略図である。
【図３５】図３５Ａ及び図３５Ｂは、図３３Ａ及び図３３Ｂで、各々、ラインＸＸＸＶＡ−ＸＸＸＶＡ及びラインＸＸＸＶＢ−ＸＸＸＶＢに沿って取られた、各々反対側に向いた簡略的な部分図の部分断面図である。
【図３６】図３６Ａ、３６Ｂ及び３６Ｃは、図３１Ａ乃至図３５ＢのＳＥＭ互換性サンプル容器の作動態様を作動の３段階で各々示した３つの断面図である。
【図３７】図３７は、図３１Ａ乃至図３６ＣのＳＥＭ互換性サンプル容器を使用した、サンプルを含む組織とＳＥＭへの挿入とを示す、簡略図及び断面図である。
【図３８】図３８Ａ、３８Ｂ、３８Ｃ及び３８Ｄは、本発明の別の好ましい実施例に従って構成され、作動するＳＥＭ互換性サンプル容器を使用した、作動の様々な段階及びＳＥＭへの挿入を各々示す該ＳＥＭ互換性サンプル容器の作動態様の簡略断面図である。
【図３９】図３９は、図３１Ａ乃至図３７のＳＥＭ互換性サンプル容器を使用した、サンプルのＳＥＭ検査の簡略図及び断面図である。
【図４０】図４０は、図３９の状況においてサンプルのＳＥＭ検査状態を拡大した簡略図である。
【図４１】図４１Ａ及び図４１Ｂは、本発明の別の好ましい実施例に従って構成され、作動する、分解されたＳＥＭ互換性サンプル容器の、各々反対側に向いた簡略的な分解図である。
【図４２】図４２Ａ及び図４２Ｂは、図４１Ａ及び図４１Ｂの容器のサブアッセンブリの、各々反対側に向いた簡略的な部分図の部分断面図である。
【図４３】図４３Ａ及び図４３Ｂは、図４１Ａ乃至図４２ＢのＳＥＭ互換性サンプル容器を部分的に組み立てた状態で示した、各々反対側に向いた簡略的な分解図である。
【図４４】図４４Ａ及び図４４Ｂは、図４１Ａ乃至図４３ＢのＳＥＭ互換性サンプル容器を完全に組み立てた状態で示した、各々反対側に向いた簡略図である。
【図４５】図４５Ａ及び図４５Ｂは、図４３Ａ及び図４３Ｂで、各々、ラインＸＬＶＡ−ＸＬＶＡ及びラインＸＬＶＢ−ＸＬＶＢに沿って取られた、各々反対側に向いた簡略的な部分図の部分断面図である。
【図４６】図４６Ａ、４６Ｂ及び４６Ｃは、図４１Ａ乃至図４５ＢのＳＥＭ互換性サンプル容器の作動態様を作動の３段階で各々示した３つの断面図である。
【図４７】図４７は、図４１Ａ乃至図４６ＣのＳＥＭ互換性サンプル容器を使用した、サンプルを含む組織及びＳＥＭへの挿入の各状態の簡略断面図及び簡略図である。
【図４８】図４８Ａ、４８Ｂ、４８Ｃ及び４８Ｄは、本発明の別の好ましい実施例に従って構成され、作動するＳＥＭ互換性サンプル容器を使用した、作動の様々な段階及びＳＥＭへの挿入を各々示す該ＳＥＭ互換性サンプル容器の作動態様の簡略断面図である。
【図４９】図１９は、図１１Ａ乃至図１６ＣのＳＥＭ互換性サンプル容器を使用した、サンプルのＳＥＭ検査の簡略図及び断面図である。
【図５０】図５０は、図４９の状況においてサンプルのＳＥＭ検査状態を拡大した簡略図である。
【図５１Ａ】図５１Ａは、図３１Ａ乃至図４０に示された型式のＳＥＭ互換性サンプル皿部で使用する顕微鏡検査用の多重サンプルホルダーの簡略図である。
【図５１Ｂ】図５１Ｂは、図３１Ａ乃至図４０に示された型式のＳＥＭ互換性サンプル皿部で使用する顕微鏡検査用の多重サンプルホルダーの簡略図である。
【図５１Ｃ】図５１Ｃは、図３１Ａ乃至図４０に示された型式のＳＥＭ互換性サンプル皿部で使用する顕微鏡検査用の多重サンプルホルダーの簡略図である。
【図５２Ａ】図５２Ａは、図４１Ａ乃至図５０に示された型式のＳＥＭ互換性サンプル皿部で使用する顕微鏡検査用の多重サンプルホルダーの簡略図である。
【図５２Ｂ】図５２Ｂは、図４１Ａ乃至図５０に示された型式のＳＥＭ互換性サンプル皿部で使用する顕微鏡検査用の多重サンプルホルダーの簡略図である。
【図５２Ｃ】図５２Ｃは、図４１Ａ乃至図５０に示された型式のＳＥＭ互換性サンプル皿部で使用する顕微鏡検査用の多重サンプルホルダーの簡略図である。
【図５３Ａ】図５３Ａは、本発明の好ましい実施例に係る、複数のＳＥＭ互換性サンプル容器を形成する顕微鏡検査用多重サンプルホルダーの簡略図である。
【図５３Ｂ】図５３Ｂは、本発明の好ましい実施例に係る、複数のＳＥＭ互換性サンプル容器を形成する顕微鏡検査用多重サンプルホルダーの簡略図である。
【図５４Ａ】図５４Ａは、本発明の好ましい実施例に係る、複数のＳＥＭ互換性サンプル容器を形成する顕微鏡検査用多重サンプルホルダーの簡略図である。
【図５４Ｂ】図５４Ｂは、本発明の好ましい実施例に係る、複数のＳＥＭ互換性サンプル容器を形成する顕微鏡検査用多重サンプルホルダーの簡略図である。
【図５５】図５５は、本発明の好ましい実施例に従って構成され、作動するＳＥＭベースのサンプル検査システムの簡略図である。
【図５６】図５６は、本発明の別の好ましい実施例に従って構成され、作動するＳＥＭベースのサンプル検査システムの簡略図である。
【図５７】図５７は、本発明の更に別の好ましい実施例に従って構成され、作動するＳＥＭベースのサンプル検査システムの簡略図である。
【図５８】図５８Ａ及び図５８Ｂは、本発明の更に別の好ましい実施例に従って構成され、作動する、分解されたＳＥＭ互換性サンプル容器の、各々反対側に向いた簡略的な分解図である。
【図５９】図５９Ａ及び図５９Ｂは、図５８Ａ及び図５８Ｂの容器のサブアッセンブリの、各々反対側に向いた簡略的な部分図の部分断面図である。
【図６０】図６０Ａ及び図６０Ｂは、図５８Ａ乃至図５９ＢのＳＥＭ互換性サンプル容器を部分的に組み立てた状態で示した、各々反対側に向いた簡略的な分解図である。
【図６１】図６１Ａ及び図６１Ｂは、図５８Ａ乃至図５９ＢのＳＥＭ互換性サンプル容器を完全に組み立てた状態で示した、各々反対側に向いた簡略図である。
【図６２】図６２Ａ及び図６２Ｂは、図６０Ａ及び図６０Ｂで、各々、ラインＬＸＩＩＡ−ＬＸＩＩＡ及びラインＬＸＩＩＢ−ＬＸＩＩＢに沿って取られた、各々反対側に向いた簡略的な部分図の部分断面図である。
【図６３】図６３Ａ、６３Ｂ及び６３Ｃは、図５８Ａ乃至図６２ＢのＳＥＭ互換性サンプル容器の作動態様を作動の３段階で各々示した３つの断面図である。
【図６４】図６４Ａ、６４Ｂ、６４Ｃ、６４Ｄ及び６４Ｅは、図５８Ａ乃至図６３ＣのＳＥＭ互換性サンプル容器を使用した、細胞成長、液体除去、液体追加、密封及びＳＥＭへの挿入の各状態の簡略断面図である。
【図６５】図６５Ａ、６５Ｂ及び６５Ｃは、図５８Ａ乃至図６３ＣのＳＥＭ互換性サンプル容器を使用した、サンプルを含む液体、密封及びＳＥＭへの挿入の各状態の簡略断面図である。
【図６６】図６６は、図５８Ａ乃至図６３ＣのＳＥＭ互換性サンプル容器を使用した、サンプルのＳＥＭ検査の簡略図及び断面図である。
【図６７】図６７は、図６６の状況においてサンプルのＳＥＭ検査状態を拡大した簡略図である。
【図６８】図６８Ａ及び図６８Ｂは、本発明の別の好ましい実施例に従って構成され、作動する、分解されたＳＥＭ互換性サンプル容器の、各々反対側に向いた簡略的な分解図である。
【図６９】図６９Ａ及び図６９Ｂは、図６８Ａ及び図６８Ｂの容器のサブアッセンブリの、各々反対側に向いた簡略的な部分図の部分断面図である。
【図７０】図７０Ａ及び図７０Ｂは、図６８Ａ乃至図６９ＢのＳＥＭ互換性サンプル容器を部分的に組み立てた状態で示した、各々反対側に向いた簡略的な分解図である。
【図７１】図７１Ａ及び図７１Ｂは、図６８Ａ乃至図６９ＢのＳＥＭ互換性サンプル容器を完全に組み立てた状態で示した、各々反対側に向いた簡略図である。
【図７２】図７２Ａ及び図７２Ｂは、図７０Ａ及び図７０Ｂで、各々、ラインＬＸＸＩＩＡ−ＬＸＸＩＩＡ及びラインＬＸＸＩＩＢ−ＬＸＸＩＩＢに沿って取られた、各々反対側に向いた簡略的な部分図の部分断面図である。
【図７３】図７３Ａ、７３Ｂ及び７３Ｃは、図６８Ａ乃至図７２ＢのＳＥＭ互換性サンプル容器の作動態様を作動の３段階で各々示した３つの断面図である。
【図７４】図７４Ａ、７４Ｂ、７４Ｃ、７４Ｄ及び７４Ｅは、図６８Ａ乃至図７３ＣのＳＥＭ互換性サンプル容器を使用した、細胞成長、液体除去、液体追加、密封及びＳＥＭへの挿入の各状態の簡略断面図である。
【図７５】図７５Ａ、７５Ｂ及び７５Ｃは、図６８Ａ乃至図７３ＣのＳＥＭ互換性サンプル容器を使用した、サンプルを含む液体、密封及びＳＥＭへの挿入の各状態の簡略断面図である。
【図７６】図７６は、図６８Ａ乃至図７３ＣのＳＥＭ互換性サンプル容器を使用した、サンプルのＳＥＭ検査の簡略図及び断面図である。
【図７７】図７７は、図７６の状況においてサンプルのＳＥＭ検査状態を拡大した簡略図である。
【図７８Ａ】図７８Ａは、図５８Ａ乃至図６７で示された型式のＳＥＭ互換性サンプル皿部で使用する、顕微鏡検査用多重サンプルホルダーの簡略図である。
【図７８Ｂ】図７８Ｂは、図５８Ａ乃至図６７で示された型式のＳＥＭ互換性サンプル皿部で使用する、顕微鏡検査用多重サンプルホルダーの簡略図である。
【図７８Ｃ】図７８Ｃは、図５８Ａ乃至図６７で示された型式のＳＥＭ互換性サンプル皿部で使用する、顕微鏡検査用多重サンプルホルダーの簡略図である。
【図７９Ａ】図７９Ａは、図６８Ａ乃至図７７で示された型式のＳＥＭ互換性サンプル皿部で使用する、顕微鏡検査用多重サンプルホルダーの簡略図である。
【図７９Ｂ】図７９Ｂは、図６８Ａ乃至図７７で示された型式のＳＥＭ互換性サンプル皿部で使用する、顕微鏡検査用多重サンプルホルダーの簡略図である。
【図７９Ｃ】図７８Ｃは、図６８Ａ乃至図７７で示された型式のＳＥＭ互換性サンプル皿部で使用する、顕微鏡検査用多重サンプルホルダーの簡略図である。
【図８０Ａ】図８０Ａは、本発明の好ましい実施例に係る、複数のＳＥＭ互換性サンプル容器を形成する顕微鏡検査用多重サンプルホルダーの簡略図である。
【図８０Ｂ】図８０Ｂは、本発明の好ましい実施例に係る、複数のＳＥＭ互換性サンプル容器を形成する顕微鏡検査用多重サンプルホルダーの簡略図である。
【図８１Ａ】図８１Ａは、本発明の好ましい実施例に係る、複数のＳＥＭ互換性サンプル容器を形成する顕微鏡検査用多重サンプルホルダーの簡略図である。
【図８１Ｂ】図８１Ｂは、本発明の好ましい実施例に係る、複数のＳＥＭ互換性サンプル容器を形成する顕微鏡検査用多重サンプルホルダーの簡略図である。
【図８２】図８２は、本発明の好ましい実施例に従って構成され、作動するＳＥＭベースのサンプル検査システムの簡略図である。
【図８３】図８３は、本発明の別の好ましい実施例に従って構成され、作動するＳＥＭベースのサンプル検査システムの簡略図である。
【図８４】図８４は、本発明の更に別の好ましい実施例に従って構成され、作動するＳＥＭベースのサンプル検査システムの簡略図である。
【図８５】図８５は、本発明の別の好ましい実施例に従って構成され、作動する、サンプルＳＥＭ検査の簡略部分図の部分断面図である。
【図８６Ａ】図８６Ａは、本発明の好ましい実施例に従って構成され、作動する、組織サンプル切り取りアッセンブリの簡略部分図の部分断面図である。
【図８６Ｂ】図８６Ｂは、本発明の好ましい実施例に従って構成され、作動する、組織サンプル切り取りアッセンブリの簡略部分図の部分断面図である。
【図８７Ａ】図８７Ａは、本発明の好ましい実施例に従って構成され、作動する、組織サンプル切り取りアッセンブリの簡略部分図の部分断面図である。
【図８７Ｂ】図８７Ｂは、本発明の好ましい実施例に従って構成され、作動する、組織サンプル切り取りアッセンブリの簡略部分図の部分断面図である。
【図８８】図８８は、本発明の好ましい実施例に係る、非真空下で湿った生体環境サンプルを電子顕微鏡検査するための方法を含む、主要工程の概略図である。
【図８９】図８９は、本発明の好ましい実施例に従って準備され、画像形成された、培養されたチャイニーズハムスターの卵巣（ＣＨＯ）のＳＥＭ顕微鏡写真図である。
【図９０】図９０Ａ及び図９０Ｂは、本発明の好ましい実施例に従って準備され、画像形成された、ヒーラー細胞のＳＥＭ顕微鏡写真図である。
【図９１】図９１Ａ及び図９１Ｂは、本発明の好ましい実施例に従って準備され、画像形成されたＡ４３１細胞の、２つの異なる倍率におけるＳＥＭ顕微鏡写真図である。
【図９２】図９２は、本発明の好ましい実施例に従って準備され、画像形成された、ヒーラー細胞のＳＥＭ顕微鏡写真図である。
【図９３】図９３Ａ、９３Ｂ及び９３Ｃは、本発明の別の好ましい実施例に従って準備され、画像形成された、ヒーラー細胞のＳＥＭ顕微鏡写真図である。
【図９４】図９４Ａ及び９４Ｂは、本発明の更に別の好ましい実施例に従って準備され、画像形成された、大腸菌バクテリア及び枯草菌バクテリアのＳＥＭ顕微鏡写真図である。
【図９５】図９５Ａ、９５Ｂ及び９５Ｃは、本発明のなお別の好ましい実施例に従って準備され、画像形成されたＣＨＯ細胞の、走査電子ビームの異なるエネルギーレベルで取られたＳＥＭ顕微鏡写真図である。
【図９６】図９６Ａ、図９６Ｂ及び図９６Ｃは、本発明の好ましい実施例に従って準備され、画像形成された、ハツカネズミの心臓の断片の、３つの異なる倍率におけるＳＥＭ顕微鏡写真図である。
【図９７】図９７Ａ、９７Ｂ、９７Ｃ及び９７Ｄは、本発明の別の好ましい実施例に従って準備され、画像形成された、豚類の脂肪組織の断片のＳＥＭ顕微鏡写真図である。
【図９８】図９８Ａ及び図９８Ｂは、本発明の更に別の好ましい実施例に従って準備され、画像形成された、ウサギの眼の網膜色素の皮覆組織（ＲＰＥ）の、２つの異なる倍率におけるＳＥＭ顕微鏡写真図である。
【図９９】図９９Ａ及び図９９Ｂは、本発明の更に別の好ましい実施例に従って準備され、画像形成された、ラットの脊髄の、２つの異なる倍率におけるＳＥＭ顕微鏡写真図である。
【図１００】図１００Ａ及び図１００Ｂは、本発明の好ましい実施例に従って準備され、画像形成された、ハツカネズミの膵臓の断片の、走査電子ビームの異なるエネルギーレベルにおけるＳＥＭ顕微鏡写真図である。
【図１０１】図１０１Ａ、１０１Ｂ及び図１０１Ｃは、本発明の別の好ましい実施例に従って準備され、画像形成された、ハツカネズミの膵臓、ラットの尾、マウスの十二指腸の断片の、各々のＳＥＭ顕微鏡写真図である。
【図１０２】図１０２Ａ、１０２Ｂ、図１０２Ｃ及び１０２Ｄは、本発明の更に別の好ましい実施例に従って準備され、画像形成された、ハツカネズミの腎臓の断片のＳＥＭ顕微鏡写真図である。
【図１０３】図１０３Ａ及び図１０３Ｂは、本発明のなお別の好ましい実施例に従って準備され、画像形成された、ラットの心臓筋肉の、２つの異なる倍率におけるＳＥＭ顕微鏡写真図である。
【図１０４】図１０４Ａ及び図１０４Ｂは、本発明の好ましい実施例に従って準備され、画像形成された、人間の甲状腺の、２つの異なる倍率におけるＳＥＭ顕微鏡写真図である。
【図１０５】図１０５は、本発明の別の好ましい実施例に従って準備され、画像形成された、ラットの胸腺のＳＥＭ顕微鏡写真図である。
【図１０６】図１０６Ａ及び図１０６Ｂは、本発明の更に別の好ましい実施例に従って準備され、画像形成された、免疫標識形成されたラットの腎臓のＳＥＭ顕微鏡写真図である。
【図１０７】図１０７Ａ及び図１０７Ｂは、本発明の更に別の好ましい実施例に従って準備され、画像形成された、市販の１．５％脂肪牛乳の２つの異なる倍率におけるＳＥＭ顕微鏡写真図である。
【図１０８】図１０８Ａ及び図１０８Ｂは、本発明の好ましい実施例に従って準備され、画像形成された、新鮮な人間の乳の２つの異なる倍率におけるＳＥＭ顕微鏡写真図である。
【図１０９】図１０９は、本発明の別の好ましい実施例に従って準備され、画像形成された、ピロアンチモン酸塩の結晶のＳＥＭ顕微鏡写真図である。
【図１１０】図１１０Ａ及び図１１０Ｂは、本発明の更に別の好ましい実施例に従って、走査型電子顕微鏡において、後方散乱電子検出及び光検出により各々得られた、ＣＨＯ細胞の顕微鏡写真図である。
【図１１１】図１１１Ａ及び図１１１Ｂは、本発明のなお別の好ましい実施例に従って、走査型電子顕微鏡において、後方散乱電子検出及び光検出により各々得られた、蛍光性ビーズの顕微鏡写真図である。
【図１１２】図１１２Ａ及び図１１２Ｂは、本発明の好ましい実施例に従ってＸ線検出を使用したサンプルのＳＥＭ検査の顕微鏡写真図である。
【図１１３】図１１３は、本発明の好ましい実施例に係る、患者を検査するための方法を示す概略図である。
【図１１４】図１１４は、本発明の別の好ましい実施例に係る、実験動物への処置効果をテストするための方法を示す概略図である。
【図１１５】図１１５は、本発明の更に別の好ましい実施例に係る、ＳＥＭ検査を含む製造プロセスの概略図である。
【図１１６】図１１６は、本発明のなお別の好ましい実施例に係る、医薬物、又は、販売中止若しくは既知の有毒物質を生物検定するための方法の概略図である。